(57)【特許請求の範囲】
【請求項１】
モータ及び該モータにより駆動されるファンを備えた装置本体と、
前記装置本体が搭載される背負子と、
前記装置本体に着脱可能に取り付けられ、前記ファンの回転により気体を吐出又は吸引するためのパイプと、
前記パイプに設けられ、外部操作によって前記装置本体に対する動作指令を入力するための操作部と、
前記操作部と前記装置本体との間で信号を伝送するためのケーブルと、
前記ケーブルを、前記操作部と前記装置本体とを分離可能に接続する接続部と、
を備え、
前記パイプは、前記パイプの中心軸に沿って複数に分割されており、
前記接続部は、前記ケーブルの途中で、前記パイプの分割点と一致する位置に設けられている、背負い式流体装置。
【請求項２】
前記接続部は、更に、前記ケーブルと前記操作部との接続部分、及び、前記ケーブルと前記装置本体との接続部分、の少なくとも一方に設けられている、請求項１に記載の背負い式流体装置。
【請求項３】
前記操作部は、複数の指令を入力するための複数の入力素子を備えている、請求項１又は請求項２に記載の背負い式流体装置。
【請求項４】
前記操作部は、前記複数の入力素子として、前記モータの最大回転速度を設定するためのダイヤルスイッチ、操作量に応じて前記モータの速度指令を入力するためのトリガスイッチ、及び、該トリガスイッチの操作位置を固定するためのロックボタンを備えている、請求項３に記載の背負い式流体装置。
【請求項５】
前記操作部は、前記複数の入力素子の１つとして、前記装置本体の主電源スイッチを備えている、請求項３又は請求項４に記載の背負い式流体装置。
【請求項６】
前記装置本体には、複数のモータが備えられており、
前記操作部は、前記複数のモータに対する動作指令として、各モータ共通の指令値を入力するよう構成されている、請求項１〜請求項５の何れか１項に記載の背負い式流体装置。
【請求項７】
前記操作部は、当該流体装置の状態を表示するための表示部を備えている、請求項１〜請求項６の何れか１項に記載の背負い式流体装置。
【請求項８】
前記表示部は、前記装置本体の動作・停止、前記モータに電力供給を行うバッテリの残容量、及び、前記装置本体の異常、の少なくとも１つを表示するよう構成されている、請求項７に記載の背負い式流体装置。
【請求項９】
前記操作部は、前記パイプに対し、前記パイプの中心軸方向に位置調整可能に設けられている、請求項１〜請求項８の何れか１項に記載の背負い式流体装置。
【請求項１０】
前記操作部は、前記パイプに対し着脱可能である、請求項１〜請求項９の何れか１項に記載の背負い式流体装置。
【発明の詳細な説明】
【技術分野】
【０００１】
本発明は、ファンの動力源としてモータを備えた背負い式流体装置に関する。
【背景技術】
【０００２】
従来、モータにより回転駆動されるファンと、このファンに電力供給を行うバッテリとを、背負子に搭載し、背負子を介して使用者が背負って使用できるように構成された背負い式ブロワが知られている（例えば、特許文献１参照）。
【０００３】
また、ファンの動力源としてエンジンを備えた背負い式ブロワには、背負子に搭載されたブロワ本体に、空気を吐出するためのパイプを装着し、そのパイプの把持部に、エンジンの回転数を調整するためのトリガを設けたものが知られている（例えば、特許文献２参照）。
【先行技術文献】
【特許文献】
【０００４】
【特許文献１】ＵＳ６００６４００
【特許文献２】特開２０１４−２３４６１０号公報
【発明の概要】
【発明が解決しようとする課題】
【０００５】
上記特許文献２に記載のものは、使用者が、把持部を把持して、パイプの先端（空気の吐出口）を所望の吐出方向に向けることができ、しかも、把持部を把持した手でトリガを操作することで、空気の吐出量を調整できることから、使い勝手がよい。
【０００６】
このため、この特許文献２に記載の技術を、特許文献１に記載のモータ駆動方式のものに適用することが考えられる。
ところで、特許文献２に記載の背負い式ブロワにおいて、トリガ及びブロワ本体には、空気の吐出量を調整するための吐出量調整機構が構造上、ケーブルの取り外しができないため、これらを接続するためのケーブルが直接固定されている。
【０００７】
このため、特許文献２に記載の技術を、特許文献１に記載のモータ駆動方式のものにそのまま適用すると、例えば、パイプをブロワ本体から外して分割し、運搬する際に、ケーブルが外せないため、邪魔になり、運搬性が悪くなるという問題が生じる。
【０００８】
本発明は、こうした問題に鑑みなされたものであり、モータ駆動方式の背負い式流体装置において、装置本体に空気給排用のパイプを装着し、パイプに操作部を設けた際に、装置本体と操作部とを接続するケーブルが邪魔になるのを防止することを目的とする。
【課題を解決するための手段】
【０００９】
本発明の背負い式流体装置においては、モータ及びモータにより駆動されるファンを備えた装置本体が背負子に搭載され、装置本体には、ファンの回転により気体を吐出又は吸引するためのパイプが着脱自在に装着される。
【００１０】
また、パイプには、外部操作によって装置本体に対する動作指令を入力するための操作部が設けられ、操作部と装置本体との間は、信号を伝送するためのケーブルにて接続される。
【００１１】
そして、ケーブルには、操作部と装置本体とを分離可能に接続する接続部が設けられる。
従って、本発明の背負い式流体装置によれば、接続部を介して、ケーブルによる操作部と装置本体との接続を外し、操作部と装置本体とを分離させることができる。このため、例えば、パイプを装置本体から外して分割し、運搬する際に、ケーブルが邪魔になるのを防止し、運搬性を向上できる。
【００１２】
また、このように操作部と装置本体とを分離させることができるので、その分離した装置本体側のケーブル若しくは装置本体側のケーブル接続部に、パイプに設けられた操作部とは異なる第２の操作部を接続して、背負い式流体装置を動作させることもできる。
【００１３】
ここで、接続部は、ケーブルと操作部との接続部分、及び、ケーブルと装置本体との接続部分、の少なくとも一方に設けるようにしてもよいし、ケーブルの途中に設けるようにしてもよい。
【００１４】
そして、ケーブルと操作部との接続部分、若しくは、ケーブルと装置本体との接続部分に、接続部を設けるようにすれば、接続部をケーブルの端部に設ければよいので、ケーブルを１本にすることができる。
【００１５】
また、この場合、ケーブルに接続される操作部側若しくは装置本体側の接続部は、操作部若しくは装置本体に固定されるので、操作部若しくは装置本体へのケーブルの接続作業を、片手で簡単に行うことができるようになる。
【００１６】
また、ケーブルの途中に接続部を設けるようにすれば、ケーブルを２本にする必要があるが、装置本体から引き出されるケーブルの長さと、操作部から引き出されるケーブルの長さとを、それぞれ任意に設定することができる。このため、各ケーブルの長さを、パイプを装置本体から外した際に邪魔にならない長さに設定することができる。
【００１７】
一方、操作部は、複数の指令を入力するための複数の入力素子を備えていてもよい。
なお、複数の入力素子としては、例えば、モータの最大回転速度を設定するためのダイヤルスイッチ、操作量に応じてモータの速度指令を入力するためのトリガスイッチ、及び、トリガスイッチの操作位置を固定するためのロックボタン、を挙げることができる。
【００１８】
また、操作部には、複数の入力素子の１つとして、装置本体の主電源スイッチを備えるようにしてもよい。
そして、このように操作部に主電源スイッチを設けるようにすれば、例えば、主電源スイッチをオフ状態にしておくことで、モータの駆動指令を入力する入力素子（トリガスイッチ等）を誤って操作した際に、モータが駆動されてファンが回るのを防止することができる。つまり、安全性を向上できる。
【００１９】
次に、空気の吐出・吸引能力を高めるために、装置本体には、複数のファンを設けるようにしてもよい。そして、この場合、各ファンを個々に駆動するために、装置本体に、複数のモータを設けることが考えられる・
このように装置本体に複数のモータを設ける場合、操作部は、その複数のモータに対する動作指令として、各モータ共通の指令値を入力するよう構成されているとよい。
【００２０】
つまり、このようにすれば、使用者は、モータ毎に動作指令を入力する必要がないので、操作が容易になり、使い勝手を向上できる。また、入力素子もモータ毎に設ける必要がないので、操作部の構成を簡単にすることができる。
【００２１】
また、操作部には、当該流体装置の状態を表示するための表示部が設けられていてもよい。なお、表示部としては、例えば、装置本体の動作・停止、モータに電力供給を行うバッテリの残容量、装置本体の異常、の少なくとも１つを表示するよう構成されているとよい。
【００２２】
また、操作部は、パイプに対し、パイプの中心軸方向に位置調整可能に設けられていてもよい。このようにすれば、使用者が操作し易い位置に操作部を配置できるようになるので、より使い勝手を向上できる。
【００２３】
また、操作部は、パイプに対し着脱可能であってもよい。このようにすれば、操作部をパイプから外して使用することができるようになるので、これによっても使い勝手を向上できる。
【図面の簡単な説明】
【００２４】
【図１】実施形態の背負い式ブロワの外観を表す説明図である。
【図２】ブロワ本体を図１と同方向から見た断面図である。
【図３】背負い式ブロワの回路構成を表すブロック図である。
【発明を実施するための形態】
【００２５】
以下に本発明の実施形態を図面と共に説明する。
図１に示すように、本実施形態の背負い式ブロワ（以下単にブロワともいう）２は、背負子４に搭載されたブロワ本体６と、ブロワ本体６から吐出される空気を先端の吐出口９まで導き、吐出口９から排出するパイプ８と、を備える。
【００２６】
図２に示すように、ブロワ本体６には、共通の中心軸Ａ周りに回転することで、中心軸Ａの両端側から外気を導入して、同一方向に送出するファン１０Ａ、１０Ｂが収納されている。
【００２７】
そして、ブロワ本体６には、各ファン１０Ａ、１０Ｂからの風を集めてパイプ８に吐出するためのパイプ取付部７が設けられている。
各ファン１０Ａ、１０Ｂは、それぞれ、アウタロータ型のブラシレスモータ（以下単にモータという）１２Ａ、１２Ｂを備え、そのモータ１２Ａ、１２Ｂのロータに固定されている。
【００２８】
また、ブロワ本体６は、背負子４に対し、振動吸収用のバネ５を介して固定されており、背負子４には、使用者が肩にかけるためのパッド４ａ及びベルト４ｂが取り付けられている。
【００２９】
また、ブロワ本体６において、パイプ取付部７は、使用者が背負子４を介してブロワ本体６を背負った際に使用者の右側に位置するように設けられている。
次に、パイプ８は、パイプ８の中心軸に沿って５つに分割されたパイプ８ａ〜８ｅにて構成されている。
【００３０】
このうち、パイプ８ａは、パイプ取付部７に着脱自在に装着可能であり、ブロワ本体６からの空気の吐出方向を使用者の横方向から前方向に変更できるよう、Ｌ型に形成されている。
【００３１】
また、パイプ８ａに連結されるパイプ８ｂは、吐出口９の向きを任意に変更できるように蛇腹状に形成されている。
また、パイプ８ｂに連結されるパイプ８ｃは、直線型のパイプであり、その外周には、
使用者が把持して吐出口９の向きを操作できるように、ハンドル部２０が設けられている。なお、ハンドル部２０は、パイプ８ｃの中心軸方向にスライド可能であり、任意の位置に固定して使用できるようにされている。
【００３２】
また、パイプ８ｃには、直線型のパイプ８ｄと、先端が吐出口９として小径に形成されたパイプ８ｅとの何れかを連結できるようになっており、パイプ８ｃにパイプ８ｄを連結した際には、パイプ８ｄの先端に、パイプ８ｅを連結可能である。
【００３３】
次に、ハンドル部２０には、使用者が把持した際に指で操作可能な操作部として、トリガスイッチ（以下スイッチをＳＷと記載する）２２、ダイヤルＳＷ２４、及び、ロックボタン２６が設けられている。
【００３４】
このうち、トリガＳＷ２２は、ブロワ２からの空気の吐出量（詳しくはモータ１２Ａ、１２Ｂの回転速度）を調整するためのものであり、ダイヤルＳＷ２４は、トリガＳＷ２２の操作によって調整可能な最大吐出量（詳しくはモータ１２Ａ、１２Ｂの最大回転速度）を設定するためのものである。
【００３５】
また、ロックボタン２６は、トリガＳＷ２２を最大操作位置若しくは任意の操作位置で保持するロック機構を機能させるための操作ボタンである。
また、ハンドル部２０には、図３に示すように、主電源ＳＷ２８や、動作状態表示用の表示部３０も設けられている。
【００３６】
そして、トリガＳＷ２２、ダイヤルＳＷ２４、主電源ＳＷ２８、及び、表示部３０は、ケーブル３２及びコネクタ３４を介して、ブロワ本体６と共に背負子４に固定された集中管理コントローラ４０に接続されている。
【００３７】
ここで、コネクタ３４は、本発明の接続部に相当するものであり、ブロワ本体６から引き出されたケーブル（詳しくは多芯ケーブル）３２内の複数の信号線を、ハンドル部２０内の上記各部に接続するための多芯コネクタである。
【００３８】
そして、コネクタ３４は、図１に示す拡大図Ｘに例示するように、ハンドル部２０に固定された第１コネクタ３４ａと、ケーブル３２の先端に固定されて、第１コネクタ３４ａに対し着脱自在に接続可能な第２コネクタ３４ｂとにより構成される。
【００３９】
また、図３に示すように、トリガＳＷ２２は、使用者により操作されるとオン状態となるメインＳＷ２２ａと、使用者による操作量に応じて抵抗値が変化する可変抵抗部２２ｂとを備える。
【００４０】
そして、集中管理コントローラ４０は、可変抵抗部２２ｂに電源電圧Ｖｄを印加して、可変抵抗部２２ｂの摺動接点による分圧電圧を、トリガ変速指令として取り込む。
また、ダイヤルＳＷ２４は、ダイヤルの回転位置に応じて抵抗値が変化する可変抵抗にて構成されており、集中管理コントローラ４０は、その可変抵抗に電源電圧Ｖｄを印加して、可変抵抗の摺動接点による分圧電圧を、ダイヤル変速指令として取り込む。
【００４１】
そして、集中管理コントローラ４０は、トリガＳＷ２２のメインＳＷ２２ａがオン状態となると、ダイヤルＳＷ２４から取り込んだダイヤル変速指令に対応した回転速度を最大回転速度として、トリガＳＷ２２の可変抵抗部２２ｂから取り込んだトリガ変速指令（つまり分圧電圧）に対応した比率で、ファン１０Ａ、１０Ｂ（換言すればモータ１２Ａ、１２Ｂ）の回転速度を設定する。
【００４２】
また、主電源ＳＷ２８は、モメンタリ型のＳＷ（ノーマリオフ）であり、使用者の操作によりＳＷをオンすることで、内部の電源回路のオン・オフ状態（換言すれば自身の動作・停止）を切り替える。
また、各種ＳＷ２２、２４、２８が一定時間操作されない場合、集中管理コントローラ４０は自動的に内部の電源回路をオフ状態にする。
【００４３】
次に、表示部３０は、集中管理コントローラ４０が各ファン１０Ａ、１０Ｂを駆動可能であるとき、集中管理コントローラ４０からの通電により、それぞれ点灯される発光ダイオードＤＡ１、ＤＢ１を備える。
【００４４】
また、表示部３０には、各ファン１０Ａ、１０Ｂのモータ１２Ａ、１２Ｂを駆動するのに用いられる直流電源（バッテリ）５０Ａ、５０Ｂの残容量が低下しているときに、集中管理コントローラ４０からの通電により、それぞれ点灯される発光ダイオードＤＡ２、ＤＢ２も設けられている。
【００４５】
そして、これら発光ダイオード（ＬＥＤ）は、例えば、発光ダイオードＤＡ１、ＤＢ１は緑色、発光ダイオードＤＡ２、ＤＢ２は赤色、というように、発光色が異なる発光ダイオードにて構成されている。
【００４６】
次に、モータ１２Ａ、１２Ｂを駆動するのに用いられる直流電源５０Ａ、５０Ｂは、それぞれ、２つのバッテリパック５０Ａ１、５０Ａ２、及び、５０Ｂ１、５０Ｂ２にて構成されている。
【００４７】
これら２つのバッテリパック５０Ａ１、５０Ａ２、及び、５０Ｂ１、５０Ｂ２は、それぞれ、モータ１２Ａ、１２Ｂの駆動用のコントローラ６０Ａ、６０Ｂに接続されており、これら駆動用コントローラ６０Ａ、６０Ｂ内部で、直列接続されている。
【００４８】
なお、各バッテリパック５０Ａ１、５０Ａ２、５０Ｂ１、５０Ｂ２は、ブロワ本体６を背負子４の後方から見たとき、ブロワ本体６の下方で左側から右側へと順に配置される。
そして、駆動用コントローラ６０Ａ、６０Ｂは、図２に示すように、バッテリパック５０Ａ１〜５０Ｂ２（図では５０Ａ２を示す）の装着部よりも背負子４の前方側で、各バッテリパック５０Ａ１、５０Ａ２、５０Ｂ１、５０Ｂ２との対応位置に設けられている。
【００４９】
また、集中管理コントローラ４０は、ケーブル３２を介して、パイプ８に設けられたハンドル部２０の各種ＳＷ２２、２４、２８及び表示部３０に接続する必要があることから、ブロワ本体６を背負子４の後方から見たとき、駆動用コントローラ６０Ａ、６０Ｂよりも更に右側に位置するように設けられている。
【００５０】
次に、集中管理コントローラ４０は、ケーブル４２Ａ、４２Ｂ及びコネクタ４４Ａ、４４Ｂを介して、駆動用コントローラ６０Ａ、６０Ｂに接続されている。
そして、集中管理コントローラ４０は、トリガＳＷ２２及びダイヤルＳＷ２４から取り込んだメインＳＷ信号、モータ１２Ａ、１２Ｂの速度指令、及び、モータ１２Ａ、１２Ｂの回転方向を表すＦ／Ｒ信号を、ケーブル４２Ａ、４２Ｂを介して駆動用コントローラ６０Ａ、６０Ｂに出力する。
【００５１】
一方、駆動用コントローラ６０Ａ、６０Ｂには、集中管理コントローラ４０から入力される上記各信号に応じて、モータ１２Ａ、１２Ｂを速度指令に対応した一定速度で駆動する駆動回路６２Ａ、６２Ｂと、状態監視用の監視回路６４Ａ、６４Ｂとが設けられている。
【００５２】
監視回路６４Ａ、６４Ｂは、直流電源５０Ａ、５０Ｂ、モータ１２Ａ、１２Ｂ、及び、駆動用コントローラ６０Ａ、６０Ｂ自身の状態（電流・電圧・温度等）を監視するためのものである。
【００５３】
そして、監視回路６４Ａ、６４Ｂは、監視結果が正常であれば、ケーブル４２Ａ、４２Ｂを介して、集中管理コントローラ４０に駆動許可信号を出力し、監視結果が異常であれば、駆動許可信号の出力を停止する。
【００５４】
また、監視回路６４Ａ、６４Ｂは、バッテリパック５０Ａ１、５０Ａ２、若しくは、５０Ｂ１、５０Ｂ２の残容量を検出し、ブロワ本体６に設けられた残容量表示部５２Ａ、５２Ｂに、各バッテリパック５０Ａ１、５０Ａ２、５０Ｂ１、５０Ｂ２の残容量を表示する。
【００５５】
そして、監視回路６４Ａ、６４Ｂは、バッテリパック５０Ａ１、５０Ａ２、若しくは、５０Ｂ１、５０Ｂ２の残容量が低下し、モータ１２Ａ、１２Ｂの出力が所定レベルまで低下すると、ケーブル４２Ａ、４２Ｂを介して、集中管理コントローラ４０に残容量低下信号を出力する。
【００５６】
これに対し、集中管理コントローラ４０は、駆動許可信号を出力している駆動用コントローラ６０Ａ、６０Ｂに対し、トリガＳＷ２２及びダイヤルＳＷ２４からの変速信号に基づき設定された回転速度を、速度指令として出力することで、モータ１２Ａ、１２Ｂを駆動させる。
【００５７】
また、集中管理コントローラ４０は、駆動用コントローラ６０Ａ、６０Ｂから駆動許可信号が入力されているときに、対応する発光ダイオードＤＡ１、ＤＢ１を点灯させることで、集中管理コントローラ４０の電源がオン状態で、かつ、ファン１０Ａ、１０Ｂを駆動可能であることを報知する。
【００５８】
また、集中管理コントローラ４０は、駆動用コントローラ６０Ａ、６０Ｂから残容量低下信号が入力されているときに、対応する発光ダイオードＤＡ２、ＤＢ２を点滅させることで、モータ１２Ａ、１２Ｂの出力が所定レベルまで低下していることを報知する。
【００５９】
また、集中管理コントローラ４０は、駆動用コントローラ６０Ａ、６０Ｂから残容量低下信号が入力され、かつ駆動許可信号が入力されていないときに、対応する発光ダイオードＤＡ１、ＤＢ１を消灯させ、かつＤＡ２、ＤＢ２を点灯させることで、バッテリパック５０Ａ１、５０Ａ２若しくは５０Ｂ１、５０Ｂ２への充電が必要であることを報知する。
【００６０】
なお、ケーブル４２Ａ、４２Ｂには、駆動用コントローラ６０Ａ、６０Ｂから集中管理コントローラ４０に、直流電源５０Ａ、５０Ｂの電源電圧（直列接続された２つのバッテリの両端電圧）ＶｂａｔＡ、ＶｂａｔＢを入力するための電源ラインも含まれている。
【００６１】
この電源ラインは、直流電源５０Ａ、５０Ｂの正極側及び負極側に接続された正負一対の信号線からなり、その負極側の信号線は、集中管理コントローラ４０及び各駆動用コントローラ６０Ａ、６０Ｂのグランドラインに接続されている。
【００６２】
これは、集中管理コントローラ４０に対し、直流電源５０Ａ、５０Ｂから動作用の電力を供給でき、しかも、直流電源５０Ａ、５０Ｂの負極側及び各コントローラ４０、６０Ａ、６０Ｂのグランドラインを同電位にできるようにするためである。
【００６３】
つまり、このようにすることで、集中管理コントローラ４０が駆動用コントローラ６０
Ａ、６０Ｂを介してモータ１２Ａ、１２Ｂを駆動する際の制御系の基準電位を一致させて、その制御系を構築する際の設計作業を容易にすることができる。
【００６４】
以上説明したように、本実施形態のブロワ２においては、ブロワ本体６に着脱自在に装着されるパイプ８に、使用者が把持するためのハンドル部２０が設けられている。
また、ハンドル部２０には、操作部としてのトリガＳＷ２２、ダイヤルＳＷ２４、ロックボタン２６、及び、主電源ＳＷ２８と、発光ダイオードＤＡ１、ＤＢ１、ＤＡ２、ＤＢ２からなる表示部３０が設けられている。
【００６５】
そして、トリガＳＷ２２、ダイヤルＳＷ２４、主電源ＳＷ２８、及び、発光ダイオードＤＡ１、ＤＢ１、ＤＡ２、ＤＢ２は、それぞれ、１本のケーブル（詳しくは多芯ケーブル）３２を介して、ブロワ本体６（詳しくは集中管理コントローラ４０）に接続されている。
【００６６】
このケーブル３２は、ハンドル部２０及びブロワ本体６に固定されていると、例えば、パイプ８全体をブロワ本体６から取り外すときや、パイプ８ｃから先端部分をブロワ本体６から取り外すときに、邪魔になる。
【００６７】
しかし、本実施形態では、ケーブル３２は、ハンドル部２０にコネクタ３４を介して接続されており、コネクタ３４での接続を外すことで、ハンドル部２０（延いてはパイプ８）とブロワ本体６とを分離させることができる。
【００６８】
このため、本実施形態のブロワ２によれば、パイプ８若しくはその一部をブロワ本体６から外して更に分割するような場合に、ケーブル３２が邪魔になるのを防止し、使い勝手を向上できる。
【００６９】
また、本実施形態のブロワ２によれば、ケーブル３２の先端に第１コネクタ３４ａが固定されているので、第１コネクタ３４ａを介して、ケーブル３２の先端にハンドル部２０とは異なる他の操作部を装着することもできる。
【００７０】
そして、このようにすれば、使用者がブロワ本体６を背負ったときに、ケーブル３２を介して他の操作部を腰からぶら下げ、必要なときに操作部を手で操作する、といった使い方もできる。このときハンドル部２０が装着されていた位置にスイッチ操作のない他のハンドルを装着しても良い。
【００７１】
また、ハンドル部２０は、パイプ８ｃに対し、中心軸方向に移動可能に設けられており、パイプ８ｃから分離させることができるので、ハンドル部２０自体を腰からぶら下げて使用することもできる。
【００７２】
また、ハンドル部２０には、モータ１２Ａ、１２Ｂの駆動指令を入力するためのトリガＳＷ２２や、ロックボタン２６とは別に、主電源ＳＷ２８が設けられている。
このため、ブロワ２を動作させないときには、ハンドル部２０の主電源ＳＷ２８をオフ状態にしておくことで、トリガＳＷ２２やロックボタン２６が誤って操作された際に、モータ１２Ａ、１２Ｂが駆動されるのを防止し、安全性を向上できる。
【００７３】
また、本実施形態のブロワ２においては、ブロワ本体６内に複数のモータ１２Ａ、１２Ｂが設けられているが、その駆動指令を入力したり、回転速度を設定したりするためのトリガＳＷ２２及びダイヤルＳＷ２４は、それぞれ一つである。
【００７４】
そして、集中管理コントローラ４０は、トリガＳＷ２２及びダイヤルＳＷ２４からの入
力を、各モータ１２Ａ、１２Ｂ駆動のための共通の指令値として取り込み、各モータ１２Ａ、１２Ｂの回転速度を設定する。
【００７５】
このため、本実施形態のブロワ２によれば、使用者は、モータ１２Ａ、１２Ｂ毎に動作指令を入力する必要がなく、ブロワ２を容易に操作することができる。また、トリガＳＷ２２やダイヤルＳＷ２４を、モータ１２Ａ、１２Ｂ毎に設ける必要がないので、装置構成を簡単にすることもできる。
【００７６】
また、ハンドル部２０には、操作部とは別に、ブロワ２の状態（詳しくは、集中管理コントローラ４０の動作・停止状態、モータ１２Ａ、１２Ｂの駆動の異常、バッテリの残容量の低下）を表示可能な表示部３０が設けられている。
【００７７】
このため、使用者は、ハンドル部２０を把持して、表示部３０の状態（発光ダイオードＤＡ１〜ＤＢ２の点灯状態）を確認することで、ブロワ２の状態を把握することができる。
【００７８】
以上、本発明の一実施形態について説明したが、本発明は、上記実施形態に限定されるものではなく、本発明の要旨を逸脱しない範囲内にて、種々の態様をとることができる。
例えば、上記実施形態では、接続部としてのコネクタ３４は、ケーブル３２と、ハンドル部２０（詳しくはハンドル部２０内の操作部や表示部）とを接続するのに用いられるものとして説明したが、ケーブル３２とブロワ本体６（詳しくは集中管理コントローラ４０）とを接続するのに用いるようにしてもよい。
【００７９】
なお、この場合、コネクタ３４は、ケーブル３２の両端側にそれぞれ設け、ケーブル３２をハンドル部２０及びブロワ本体６の両方から外すことができるようにしてもよい。
また、図１の拡大図Ｙに示すように、ケーブル３２を２つに分割して、その分割点のケーブル端部に、相互接続用の第１コネクタ３４ａ及び第２コネクタ３４ｂを設けることで、接続部を構成するようにしてもよい。
【００８０】
なお、この場合、ケーブル３２の分割点を、パイプ８の分割点と一致させれば、その分割点でパイプ８及びケーブル３２を分割した際に、ケーブル３２の先端がパイプからはみ出し、邪魔になるのを防止できる。
【００８１】
また次に、上記実施形態では、背負い式流体装置として、ファンの回転によりパイプの先端から空気を排出するブロワについて説明したが、本発明は、ファンの回転により空気を吸入する流体装置であっても、或いは、ファンの回転方向を切り替えることで空気を吸入・排出する流体装置であってもよい。
【００８２】
また、上記実施形態では、操作部としてのスイッチ類や表示部は、パイプ８に固定されるハンドル部２０に設けるものとして説明したが、これらは、パイプ８に直接設けるようにしてもよい。
【００８３】
また、上記実施形態では、ブロワ本体６には、モータ及びファンが２組収納されるものとして説明したが、モータ及びファンは、一組であっても、３組以上であってもよい。また、複数のファンを一つのモータで駆動するように構成されていてもよい。
【符号の説明】
【００８４】
２…ブロワ、４…背負子、６…ブロワ本体、７…パイプ取付部、８，８ａ〜８ｅ…パイプ、９…吐出口、１０Ａ，１０Ｂ…ファン、１２Ａ，１２Ｂ…モータ、２０…ハンドル部、２２…トリガＳＷ、２２ａ…メインＳＷ、２２ｂ…可変抵抗部、２４…ダイヤルＳＷ、
２６…ロックボタン、２８…主電源ＳＷ、３０…表示部、ＤＡ１，ＤＡ２，ＤＢ１，ＤＢ２…発光ダイオード、３２…ケーブル、３４…コネクタ、３４ａ…第１コネクタ、３４ｂ…第２コネクタ、４０…集中管理コントローラ、５０Ａ，５０Ｂ…直流電源、５０Ａ１，５０Ａ２，５０Ｂ１，５０Ｂ２…バッテリパック、５２Ａ，５２Ｂ…残容量表示部、６０Ａ，６０Ｂ…駆動用コントローラ、６２Ａ，６２Ｂ…駆動回路、６４Ａ，６４Ｂ…監視回路。
【図１】
0006504898.tif 000002
【図２】
0006504898.tif 000003
【図３】
0006504898.tif 000004